(57)【要約】【課題】  本体ケースの天面に天板を着脱可能に装着するものにおいて、天板の着脱作業を簡素化する事を目的とするものである。【解決手段】  有底箱状の本体ケースの上面に、内側を開口した断面が略コ字状のフレーム枠にて耐熱ガラス製の天板を着脱可能に装着したものにおいて、天板とフレーム枠の底枠との間に、この底枠に着脱自在に係合する係合辺と、天板の裏面周縁部に直接当接或いは所定の間隙を置いて対向位置する支持辺と、垂下片とを一体に折曲形成した固定板を着脱自在に係入し、垂下片を本体ケースにビス止めすることで、フレーム枠を本体ケースに固定して成る。【選択図】        図４
2006275450.tif 000002
【特許請求の範囲】
【請求項１】
有底箱状の本体ケースの上面に、内側を開口した断面が略コ字状のフレーム枠にて耐熱ガラス製の天板を着脱可能に装着したものにおいて、上記天板とフレーム枠の底枠との間に、この底枠に着脱自在に係合する係合辺と、上記天板の裏面周縁部に直接当接或いは所定の間隙を置いて対向位置する支持辺と、垂下片とを一体に折曲形成した固定板を着脱自在に係入し、上記垂下片を上記本体ケースにビス止めすることで、上記フレーム枠を本体ケースに固定する事を特徴とする加熱調理器。
【請求項２】
上記フレーム枠の底枠と固定板の係合辺に互いに着脱自在に係合する係入片と係入溝を形成した事を特徴とする、上記請求項１に記載の加熱調理器。
【請求項３】
上記固定板を、その一端に上記係合辺を形成すると共に、他端に上記垂下片を形成し、一端と他端間を上方に向けて階段状に折曲して上記支持辺を形成した事を特徴とする、上記請求項１〜２に記載の加熱調理器。
【請求項４】
上記固定板を、内側を開口した断面が略コ字状に形成し、上端部に上記支持辺を形成し、下端部に上記係合辺を形成すると共に、その下端に上記垂下片を一体に折曲形成した事を特徴とする、上記請求項１に記載の加熱調理器。
【発明の詳細な説明】
【技術分野】
【０００１】
本発明は、調理器本体の上面に被調理物を載置して加熱する耐熱ガラス製等の天板を装着し、かつこの天板をフレーム枠により調理器本体に着脱可能に装着した加熱調理器に関する。
【背景技術】
【０００２】
調理器本体の天面に鍋等の被調理物を載置する耐熱ガラス製の天板を装着し、この天板の下方に誘導加熱コイルやヒータ等の熱源を配設した加熱調理器では、例えば特許文献１に示される様に、上記天板をフレーム１２によってトップヒータ部２１に着脱可能に固定している。
【特許文献１】特開２００２−１６２０４３号公報
【発明の開示】
【発明が解決しようとする課題】
【０００３】
一方、上記特許文献１に記載の構成では、フレーム１２に固定部１７をスポット溶接等により固着し、更にこの固定部にフック部２８をビス固定し、このフック部をトップヒータ部２１の側板３０にビス固定することで、フレームをトップヒータ部に固定しており、固定部１７の固着作業や、フック部の固定部への固定作業が必要となり、フレームの組み立て作業に時間を要したり、部品点数が多くなるという問題がある。
【０００４】
そこで本発明は、比較的簡素な構成にて天板を本体ケースに確実に固定する事を目的とするものである。
【課題を解決するための手段】
【０００５】
本発明の請求項１の構成は、有底箱状の本体ケースの上面に、内側を開口した断面が略コ字状のフレーム枠にて耐熱ガラス製の天板を着脱可能に装着したものにおいて、天板とフレーム枠の底枠との間に、この底枠に着脱自在に係合する係合辺と、天板の裏面周縁部に直接当接或いは所定の間隙を置いて対向位置する支持辺と、垂下片とを一体に折曲形成した固定板を着脱自在に係入し、垂下片を本体ケースにビス止めすることで、フレーム枠を本体ケースに固定して成るものである。
【０００６】
本発明の請求項２の構成は、請求項１の構成において、フレーム枠の底枠と固定板の係合辺に互いに着脱自在に係合する係入片と係入溝を形成して成るものである。
【０００７】
本発明の請求項３の構成は、請求項１〜２の構成において、固定板を、その一端に係合辺を形成すると共に、他端に垂下片を形成し、一端と他端間を上方に向けて階段状に折曲して支持辺を形成して成るものである。
【０００８】
本発明の請求項４の構成は、請求項１の構成において、固定板を、内側を開口した断面が略コ字状に形成し、上端部に支持辺を形成し、下端部に係合辺を形成すると共に、その下端に垂下片を一体に折曲形成して成るものである。
【発明の効果】
【０００９】
本発明の請求項１に記載の構成により、固定板を天板とフレーム枠の底枠との間に係入した後、固定板をその垂下片にて本体ケースにビス止めすることで、簡単かつ確実に天板を本体ケースの天面に装着する事が出来るものである。
【００１０】
本発明の請求項２に記載の構成により、固定板とフレーム枠とを各々に形成した係入片と係入溝により着脱自在に係合する様に構成したことで、スポット溶接やビスによる固定作業が不要となり、フレーム枠と固定板との結合を短時間でかつ簡単に行う事が出来るものである。
【００１１】
本発明の請求項３に記載の構成により、固定板を、その一端と他端間を上方に向けて階段状に折曲して支持辺を形成したことで、本体ケースを組み込むシステムキッチン等の開口の縁に、開口内への水滴等の浸入を防止する堰が立ち上がり形成されている場合にも、固定板を加工することなく、そのまま簡単に組み込む事が出来るものである。
【００１２】
本発明の請求項４に記載の構成により、固定板を内側を開口した断面が略コ字状に形成したことで、簡単な折り曲げ加工にて固定板を形成出来、安価で簡単な構成にて天板の固定を行う事が出来るものである。
【発明を実施するための最良の形態】
【００１３】
本発明による実施例を先ず図１及び図２に基づき説明すると、１は例えばシステムキッチン等にドロップイン方式にて組み込まれて使用される調理器本体で、上面を開口した有底箱状の本体ケース３内に、前後に一対のラジエントヒータ４，５を収納配置している。
【００１４】
６は上記本体ケース３の上面に着脱可能に装着した耐熱ガラス製の天板で、図３及び図４にて示す様に、内側を開口した断面が略コ字状のフレーム枠７にて上記本体ケース３に着脱可能に固定している。
【００１５】
又上記フレーム枠７は、天面枠８にて上記天板６の周縁を押圧固定していると共に、その底枠９の適所に複数対の切欠溝１０・・を形成することで、これらの切欠溝間に複数の係入片１１・・を形成している。
【００１６】
１２，１２は上記フレーム枠７の天板６と底枠９間に着脱自在に係入される固定板で、一端に上記係入片１１・・が係入する係入溝１３・・を、係止片１４・・を切起し形成することで形成した係合辺１５を形成していると共に、中央部を上記天面枠８に向けて階段状に折曲して支持辺１６，１６を形成し、かつ他端を下方に向けて折曲して垂下片１７・・を一体形成している。
【００１７】
上記支持辺１６，１６は、天板６の裏面周縁に直接当接或いは間隙を置いて対向位置することで、天板６を支持し、実施例では支持辺１６，１６と天板６間に緩衝材１８を介在することで、支持辺と天板の当接による天板６の損傷防止を図っている。
【００１８】
又、上記固定板１２，１２の垂下片１７・・には切起片１９・・を設け、これらの間に本体ケース３の側板２０を係入することで、本体ケース３の上面に天板６とフレーム枠７を着脱可能に装着する様に構成している。
【００１９】
更に上記垂下片１７・・にはネジ穴２１・・を形成し、本体ケース３の外側面より側板２０を貫通してネジ２２・・を螺入することで固定板１２，１２を本体ケース３に固定し、これによりフレーム枠７を本体ケース３に着脱可能に固定している。
【００２０】
これらの構成により、フレーム枠７に固定用の部材をスポット溶接等により固定することなく、簡単かつ確実に天板６を本体ケース３の天面に装着する事が出来るものである。
【００２１】
図５は本発明の他の実施例を示すもので、共通部分は同一符号を用いて説明すると、１２は固定板で、内側を開口した断面が略コ字状に形成され、その上端部に支持辺１６を形成して、この支持辺を天板６の裏面周縁に直接或いは間隙を置いて対向位置していると共に、下端部に係合辺１５を形成してこの係合辺をフレーム枠７の底枠９に当接し、かつ係合辺１５に形成した係入溝１３に上記係入片１１を係入することで、固定板１２をフレーム枠７に着脱自在に連結している。
【００２２】
又、固定板１２には、その係合辺１５の端部に垂下片１７を一体に折曲形成していると共に、この垂下片に切起片１９を切起し形成し、これら切起片と垂下片１７との間に上記本体ケース３の側板１８の上端部を挿入してその側面よりビス２２により着脱可能に固定している。
【００２３】
これらの構成により、天板６の本体ケース３の天面への装着に際しては、フレーム枠７の内側に天板６と固定板１２・・を順次装着してフレーム枠７に天板６を固定した後、これらを本体ケース３の天面に装着し、固定板１２・・の垂下片１７をビス２２・・にて本体ケース３の側板２０に固定することで、簡単に装着する事が出来るものである。
【００２４】
尚、上記フレーム枠７の手前には操作パネル３０を装着し、この操作パネルに配置した操作キー３１・・より入力操作を行うことで、上記ラジエントヒータ４，５への通電やタイマー運転を行う事ができる。
【００２５】
又、修理等により上記天板６を取り外す場合には、ビス２２・・を外してフレーム枠７を本体ケース３から取り外すことで、簡単に行うことができる。
【図面の簡単な説明】
【００２６】
【図１】本発明の実施例を示す斜視図である。
【図２】同じく側面図である。
【図３】同じくフレーム枠に固定板を装着して反転させた状態の斜視図である。
【図４】図２中のＡ−Ａ断面図である。
【図５】本発明の他の実施例を示す図２中のＡ−Ａ断面図である。
【符号の説明】
【００２７】
３    本体ケース
６    天板
７    フレーム枠
９    底枠
１１  係入片
１２  固定板
１３  係入溝
１５  係合辺
１６  支持辺
１７  垂下片
２２  ビス
【図１】
2006275450.tif 000003
【図２】
2006275450.tif 000004
【図３】
2006275450.tif 000005
【図４】
2006275450.tif 000006
【図５】
2006275450.tif 000007